(57)【要約】【課題】動画提供サービスにおいて、手間を掛けることなく、かつ、イメージを損なうことなく、適切なサービス提供を行うことが可能な情報処理装置、情報処理方法及びプログラムを提供する。【解決手段】提供対象の各動画に係る所定の条件を基準として、レコメンド対象の動画を抽出する第１抽出手段１１１と、再生開始操作から離脱までの時間である再生時間と、離脱時の再生地点である再生終了地点と、に基づいて、動画の特性を判別する判別手段１１３と、判別手段１１３により判別された特性に基づいて、レコメンド対象外の動画を検出する検出手段１１４と、第１抽出手段１１１により抽出されたレコメンド対象の動画から検出手段１１４により検出されたレコメンド対象外の動画を除外したものをレコメンドするレコメンド手段１１５と、を備える。【選択図】図１
2019146142.tif 000002
【特許請求の範囲】
【請求項１】
動画を提供する情報処理装置において、
再生開始操作から離脱までの時間である再生時間と、離脱時の再生地点である再生終了地点と、に基づいて、動画の特性を判別する判別手段を備えることを特徴とする情報処理装置。
【請求項２】
提供対象の各動画に係る所定の条件を基準として、レコメンド対象の動画を抽出する第１抽出手段と、
前記判別手段により判別された特性に基づいて、レコメンド対象外の動画を検出する検出手段と、
前記第１抽出手段により抽出されたレコメンド対象の動画から前記検出手段により検出されたレコメンド対象外の動画を除外したものをレコメンドするレコメンド手段と、
を備えることを特徴とする請求項１に記載の情報処理装置。
【請求項３】
前記再生時間及び前記再生終了地点を取得する取得手段を備え、
前記判別手段は、前記取得手段により取得された前記再生時間及び前記再生終了地点の比率に基づいて、前記動画の特性を判別することを特徴とする請求項２に記載の情報処理装置。
【請求項４】
前記判別手段は、前記取得手段により取得された前記再生時間及び前記再生終了地点の比率が所定の閾値未満である場合に、前記動画の特性が前記レコメンド対象外とすべき特性であると判別することを特徴とする請求項３に記載の情報処理装置。
【請求項５】
動画の総時間が短ければ短いほど、前記所定の閾値の値を高くするように調整する調整手段を備えることを特徴とする請求項４に記載の情報処理装置。
【請求項６】
動画を視聴したユーザーの視聴履歴から前記ユーザーの趣味嗜好を抽出する第２抽出手段を備え、
前記判別手段は、前記第２抽出手段により抽出された前記ユーザーの趣味嗜好が所定条件を満たす場合であって、前記取得手段により取得された前記再生時間及び前記再生終了地点の比率が所定の閾値未満である場合に、逆に、前記動画の特性が前記レコメンド対象とすべき特性であると判別することを特徴とする請求項４又は５に記載の情報処理装置。
【請求項７】
前記取得手段により取得された前記再生時間及び前記再生終了地点の比率が所定の閾値未満である場合に、動画を視聴したユーザーの視聴履歴に基づいて動画視聴のピークを抽出するピーク抽出手段と、
前記ピーク抽出手段により抽出された動画視聴のピークを、前記動画の提供時に表示させる表示制御手段と、
を備えることを特徴とする請求項４〜６のいずれか一項に記載の情報処理装置。
【請求項８】
動画のカテゴリ情報を取得するカテゴリ取得手段を備え、
前記検出手段は、前記カテゴリ取得手段により取得されたカテゴリ情報と、前記判別手段により判別された特性と、に基づいて、前記レコメンド対象外の動画を検出することを特徴とする請求項２〜７のいずれか一項に記載の情報処理装置。
【請求項９】
動画を視聴したユーザーの視聴履歴から前記ユーザーの趣味嗜好を抽出する第２抽出手段と、
前記第２抽出手段により抽出された前記ユーザーの趣味嗜好に基づいて、前記動画のカテゴリを推測する第１推測手段と、
を備え、
前記検出手段は、前記第１推測手段により推測されたカテゴリと、前記判別手段により判別された特性と、に基づいて、前記レコメンド対象外の動画を検出することを特徴とする請求項２〜７のいずれか一項に記載の情報処理装置。
【請求項１０】
動画を視聴したユーザーの電子商取引情報を取得する電子商取引情報取得手段と、
前記電子商取引情報取得手段により抽出された前記ユーザーの電子商取引情報に基づいて、前記動画のカテゴリを推測する第２推測手段と、
を備え、
前記検出手段は、前記第２推測手段により推測されたカテゴリと、前記判別手段により判別された特性と、に基づいて、前記レコメンド対象外の動画を検出することを特徴とする請求項２〜７のいずれか一項に記載の情報処理装置。
【請求項１１】
前記判別手段は、スキップ回数と、前記再生終了地点と、に基づいて、前記動画の特性を判別することを特徴とする請求項１に記載の情報処理装置。
【請求項１２】
前記判別手段は、スキップ幅と、前記再生終了地点と、に基づいて、前記動画の特性を判別することを特徴とする請求項１に記載の情報処理装置。
【請求項１３】
前記判別手段は、前記再生時間と、動画の総時間と、に基づいて、前記動画の特性を判別することを特徴とする請求項１に記載の情報処理装置。
【請求項１４】
前記レコメンド対象外の動画は、アダルト系動画を含むことを特徴とする請求項２〜１０のいずれか一項に記載の情報処理装置。
【請求項１５】
前記レコメンド対象外の動画は、ホラー系動画を含むことを特徴とする請求項２〜１０、１４のいずれか一項に記載の情報処理装置。
【請求項１６】
個人のスキップ率と各動画のスキップ率とを比較して、前記動画に対する前記個人による評価値を補正する補正手段を備え、
前記検出手段は、前記補正手段により補正された評価値に基づいて、前記レコメンド対象外の動画を検出することを特徴とする請求項２〜１０、１４、１５のいずれか一項に記載の情報処理装置。
【請求項１７】
前記第１抽出手段は、総時間が所定の長さ以上の動画の中から、前記レコメンド対象の動画を抽出することを特徴とする請求項２〜１０、１４〜１６のいずれか一項に記載の情報処理装置。
【請求項１８】
動画を提供する情報処理装置の情報処理方法において、
再生開始操作から離脱までの時間である再生時間と、離脱時の再生地点である再生終了地点と、に基づいて、動画の特性を判別する判別ステップを含む情報処理方法。
【請求項１９】
動画を提供する情報処理装置のコンピュータを、
再生開始操作から離脱までの時間である再生時間と、離脱時の再生地点である再生終了地点と、に基づいて、動画の特性を判別する判別手段、
として機能させるためのプログラム。
【発明の詳細な説明】
【技術分野】
【０００１】
本発明は、情報処理装置、情報処理方法及びプログラムに関する。
【背景技術】
【０００２】
従来、インターネットや携帯電話通信網等の通信ネットワークを利用して動画を配信（提供）するサービス（例えば、ＧＹＡＯ！（登録商標）等）が知られている。上記の動画配信サービスには、視聴数など所定の条件を基準として、ユーザーにおすすめ（レコメンド）する動画を一覧表示する機能が設けられている。
【０００３】
ところで、視聴数などを基準にレコメンド対象の動画を一覧表示する（機械学習モデルでＣＴＲ（Click Through Rate：クリック率）を予測するモデルを作ってレコメンド対象の動画のランキングを一覧表示する）場合、サムネイルやタイトルが刺激的な動画（例えば、アダルト系動画（性的な動画や成人向けの動画）やアダルト系動画ではないものの肌が露出されたサムネイルの動画等）が表示されることがある。刺激的な動画がたまたまユーザーの嗜好と合致する場合であればよいが、初回来訪のユーザーなどに刺激的なサムネイルの動画をレコメンドしてしまうと、動画配信サービスのブランドイメージを損なってしまう等、不適切なケースがある。
【０００４】
そこで、露出度の多い画像を視聴制限する技術として、光ディスクの再生画像に含まれている肌色等を検出し、露出的画像を制限する技術が開示されている（例えば、特許文献１参照）。
【先行技術文献】
【特許文献】
【０００５】
【特許文献１】特開２００９−０９４９０８号公報
【発明の概要】
【発明が解決しようとする課題】
【０００６】
しかしながら、上記特許文献１記載の技術は、再生画像内の露出的画像を検出する技術であるため、再生画像そのものがアダルト系コンテンツであるか否かを判定するものではなかった。したがって、再生画像そのものがアダルト系コンテンツであるか否かを判定するためには、すべての再生画像を解析する必要があるため、手間が掛かるという課題がある。
【０００７】
本発明は、動画提供サービスにおいて、手間を掛けることなく、かつ、イメージを損なうことなく、適切なサービス提供を行うことが可能な情報処理装置、情報処理方法及びプログラムを提供することを目的とする。
【課題を解決するための手段】
【０００８】
上記課題を解決するため、本発明の情報処理装置は、
動画を提供する情報処理装置において、
再生開始操作から離脱までの時間である再生時間と、離脱時の再生地点である再生終了地点と、に基づいて、動画の特性を判別する判別手段を備えることを特徴とする。
【発明の効果】
【０００９】
本発明によれば、動画提供サービスにおいて、手間を掛けることなく、かつ、イメージを損なうことなく、適切なサービス提供を行うことができる。
【図面の簡単な説明】
【００１０】
【図１】本実施形態に係る情報処理システムを構成する各装置の主制御構成を示すブロック図である。
【図２】本実施形態に係る情報処理システムの動作の一例を示すフローチャートである。
【図３】レコメンド対象動画リストの一例を示す図である。
【図４】配信対象の各動画に対するユーザーの視聴履歴を集計してグラフ化した様子の一例を示す図である。
【図５】レコメンド対象動画リストに評価値の項目が追加された様子の一例を示す図である。
【図６】従来の端末装置において表示部に表示されるレコメンド情報表示画面の一例を示す図である。
【図７】本実施形態に係る端末装置において表示部に表示されるレコメンド情報表示画面の一例を示す図である。
【図８】情報処理システムの動作の一変形例を示すフローチャートである。
【図９】情報処理システムの動作の一変形例を示すフローチャートである。
【図１０】レコメンド対象動画リストにカテゴリの項目が追加された様子の一例を示す図である。
【図１１】所定の閾値未満の動画をまとめて表示するレコメンド情報表示画面の一例を示す図である。
【図１２】配信された動画を表示する動画表示画面の一例を示す図である。
【発明を実施するための形態】
【００１１】
以下、本発明の実施の形態について、図面を参照して詳細に説明する。
【００１２】
［１．構成の説明］
以下、図面を参照しながら、この発明の一実施形態について詳しく説明する。
本実施形態に係る情報処理システム１は、図１に示すように、サーバー（情報処理装置）１０と、端末装置２０と、を備えて構成されている。情報処理システム１を構成する各装置は、通信ネットワークＮに接続される。通信ネットワークＮは、具体的には、インターネットや電気通信事業者等の電話回線網や携帯電話通信網等である。
【００１３】
サーバー１０は、動画配信業者が保有するＰＣ、ＷＳ等の情報機器であり、端末装置２０からのアクセスに応じて所定の動作を行う。具体的には、サーバー１０は、端末装置２０から動画の配信要求がなされると、要求元の端末装置２０に対象の動画を配信する。サーバー１０は、１台で構成されるものとするが、これに限定されるものではなく、複数台の装置から構成されるものとしてもよい。
【００１４】
サーバー１０は、制御部１１と、操作部１２と、表示部１３と、記憶部１４と、通信部１５と、を備えて構成されている。
【００１５】
制御部１１は、サーバー１０の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバー１０の各部を統括制御する。
【００１６】
操作部１２は、例えば、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部１１へと出力する。
表示部１３は、例えば、ＬＣＤなどのディスプレイを備え、制御部１１から出力された表示制御信号に基づいた画像を表示画面に表示する。
【００１７】
記憶部１４は、例えば、ＨＤＤ、半導体メモリなどにより構成され、プログラムデータや各種設定データ等のデータを制御部１１から読み書き可能に記憶する。例えば、記憶部１４は、配信（提供）対象の各動画を記憶する。
また、記憶部１４は、ユーザーにレコメンドする対象となる動画のリストであるレコメンド対象動画リストＬ１（図３参照）を記憶する。さらに、記憶部１４は、視聴履歴記憶部１４１として、配信対象の各動画に対するユーザーの視聴履歴を記憶する。
【００１８】
通信部１５は、通信用ＩＣ及び通信コネクタなどを有する通信インターフェイスであり、制御部１１の制御の下、所定の通信プロトコルを用いて通信ネットワークＮを介したデータ通信を行う。
【００１９】
本実施形態において、サーバー１０の制御部１１は、本発明の各手段などの要素を実現する。
【００２０】
例えば、制御部１１は、配信（提供）対象の各動画に係る所定の条件を基準として、レコメンド対象の動画を抽出する第１抽出手段１１１を実現する。
また、制御部１１は、再生開始操作から離脱までの時間である再生時間及び離脱時の再生地点である再生終了地点を取得する取得手段１１２を実現する。
また、制御部１１は、再生時間と、再生終了地点と、に基づいて、動画の特性を判別する判別手段１１３を実現する。
また、制御部１１は、判別手段１１３により判別された特性に基づいて、レコメンド対象外の動画を検出する検出手段１１４を実現する。
また、制御部１１は、第１抽出手段１１１により抽出されたレコメンド対象の動画から検出手段１１４により検出されたレコメンド対象外の動画を除外したものをレコメンドするレコメンド手段１１５を実現する。
【００２１】
次に、端末装置２０の構成について説明する。
端末装置２０は、デスクトップＰＣ等の据え置き型の端末装置である。ただし、端末装置２０は、スマートフォンやタブレットなどのスマートデバイス、携帯電話機等の各ユーザーが所持して使用する携帯端末としてもよい。端末装置２０は、通信ネットワークＮ（具体的には、端末装置２０の通信回線や無線ＬＡＮ（Local Area Network）等）を用いて、サーバー１０との間で相互に通信を行う。
【００２２】
端末装置２０は、制御部２１と、操作部２２と、表示部２３と、記憶部２４と、通信部２５と、を備えて構成されている。
【００２３】
制御部２１は、端末装置２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、端末装置２０の各部を統括制御する。
【００２４】
操作部２２は、例えば、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部２１へと出力する。なお、操作部２２は、例えば、表示部２３と一体的に形成されたタッチパネルなどであってもよい。
表示部２３は、例えば、ＬＣＤなどのディスプレイを備え、制御部２１から出力された表示制御信号に基づいた画像を表示画面に表示する。例えば、表示部２３は、Ｗｅｂブラウザが起動されると、ユーザーの操作（動画配信サービスを提供するＷｅｂサイトのＷｅｂページの取得要求）に応じてサーバー１０から送信されたＷｅｂページを表示する。また、表示部２３は、動画配信サービスを提供するＷｅｂサイトのＷｅｂページにおいて、ユーザーが選択した動画を表示する。
【００２５】
記憶部２４は、例えば、ＨＤＤ、半導体メモリなどにより構成され、プログラムデータや各種設定データ等のデータを制御部４１から読み書き可能に記憶する。また、記憶部２４は、Ｗｅｂページを閲覧するためのＷｅｂブラウザ等を記憶する。
【００２６】
通信部２５は、通信用ＩＣ及び通信コネクタなどを有する通信インターフェイスであり、制御部２１の制御の下、所定の通信プロトコルを用いて通信ネットワークＮを介したデータ通信を行う。
【００２７】
［２．動作の説明］
次に、本実施形態に係る情報処理システム１の具体的な動作について、図２のフローチャートを参照して説明する。この処理は、端末装置２０のユーザーが、動画配信サービスにおいて、レコメンド対象の動画を一覧表示させるための操作（以下、レコメンド表示に係る操作）を実行し、サーバー１０の制御部１１が、上記のレコメンド表示に係る操作が実行された旨の情報を取得したことを契機として行われる。
【００２８】
まず、サーバー１０の制御部１１は、配信（提供）対象の各動画に係る所定の条件（例えば視聴数など）を基準として、レコメンド対象の動画を抽出する（ステップＳ１０１）。すなわち、制御部１１は、本発明の第１抽出手段１１１として機能する。なお、本実施形態において、レコメンドとは、ユーザーにおすすめすることの他、ランキング形式で表示することも含んでいる。
図３に、ステップＳ１０１で抽出されたレコメンド対象の動画のリスト（レコメンド対象動画リスト）Ｌ１の一例を示す。
レコメンド対象動画リストＬ１は、レコメンドの優先順位を示す順位Ｌ１１、レコメンド対象の動画の名称を示すＬ１２、のフィールドを有する。本実施形態では、レコメンド対象動画リストＬ１の上位（順位Ｌ１１が上）の動画から順に所定数の動画がレコメンド対象の動画として抽出される。
【００２９】
次に、制御部１１は、ステップＳ１０１で抽出したレコメンド対象の動画に対するユーザーの視聴履歴を取得する（ステップＳ１０２）。具体的には、制御部１１は、配信対象の各動画に対するユーザーの視聴履歴を記憶する記憶部１４（視聴履歴記憶部１４１）から、ステップＳ１０１で抽出したレコメンド対象の動画に対するユーザーの視聴履歴を取得する。ここで、ユーザーの視聴履歴は、動画を視聴した全ユーザーの視聴履歴であってもよいし、動画を視聴した一部のユーザーの視聴履歴であってもよい。
図４に、配信対象の各動画に対するユーザーの視聴履歴を集計してグラフ化した様子の一例を示す。図４に示すグラフは、横軸に離脱した秒数（再生終了地点を示す）、縦軸にＵＢ数／全ＵＢ数を示している。ここで、ＵＢ数とは、ユニークブラウザー数のことであり、ブラウザごとの訪問回数のことである。例えば、一つのＰＣで同一人物が異なる３つのブラウザを利用して動画を訪問した場合、ＵＢ数は「３」としてカウントされる。
【００３０】
次に、制御部１１は、ステップＳ１０２で取得した視聴履歴から、それぞれの再生時間及び再生終了地点を取得する（ステップＳ１０３）。すなわち、制御部１１は、本発明の取得手段１１２として機能する。ここで、再生時間とは、再生ボタンを押してから離脱までにかかった時間（再生開始操作から離脱（例えば「画面を消す」など再生中止）までの時間）のことである。また、「再生終了地点」とは、離脱時の再生地点（動画のどこまで視聴が進んだか）のことである。
【００３１】
次に、制御部１１は、ステップＳ１０３で取得した再生時間及び再生終了地点に基づいて、「再生時間の平均／再生終了地点の平均」を算出する（ステップＳ１０４）。ステップＳ１０４で算出した値（評価値）は、図５に示すように、レコメンド対象動画リストＬ１に評価値Ｌ１３の項目として追加される。
【００３２】
次に、制御部１１は、ステップＳ１０１で抽出したレコメンド対象の動画の中に、ステップＳ１０４で算出した評価値が予め定められた所定の閾値未満の動画が存在するか否かを判定する（ステップＳ１０５）。ここで、所定の閾値は、例えば、０．４である。それは、所定の閾値を０．４とした場合、レコメンド対象から除外したい動画（刺激的な動画、有害な動画）を、所定の閾値未満の動画として概ね抽出することができるからである。
制御部１１は、ステップＳ１０４で算出した評価値が所定の閾値未満の動画が存在すると判定した場合（ステップＳ１０５：ＹＥＳ）、次のステップＳ１０６へと移行する。
一方、制御部１１は、ステップＳ１０４で算出した評価値が所定の閾値未満の動画が存在しないと判定した場合（ステップＳ１０５：ＮＯ）、ステップＳ１０７へと移行する。
【００３３】
次に、制御部１１は、ステップＳ１０４で算出した評価値が所定の閾値未満の動画を、動画の特性がレコメンド対象外とすべき特性であると判別し、レコメンド対象外の動画として検出する（ステップＳ１０６）。すなわち、制御部１１は、本発明の判別手段１１３及び検出手段１１４として機能する。ここで、動画の特性とは、ユーザーが動画を視聴するにあたり、動画が内包する特徴（例えば、動画がスキップや飛ばし見されやすいか否か、動画が最後まで視聴されやすいか否か等）のことである。また、レコメンド対象外とすべき特性とは、例えば、ユーザーを性的に刺激したり、ユーザーを不快にしたりするような刺激的な特性のことである。
ここで、所定の閾値を０．４とした場合、図５に示すように、「動画Ａ（０．２１）」、「動画Ｄ（０．２６）」、「動画Ｇ（０．３１）」、「動画Ｊ（０．３３）」が、所定の閾値未満の動画であることがわかる。したがって、図５に示す例では、レコメンド対象外の動画として、「動画Ａ」、「動画Ｄ」、「動画Ｇ」、「動画Ｊ」が検出される。
【００３４】
ところで、レコメンド対象外の動画は、例えば、アダルト系動画やホラー系動画である。アダルト系動画の場合、ユーザーが所望するシーンを探すために動画のスキップ機能を多用する傾向にあるため、離脱までの時間が短くなる一方で、スキップした分だけ再生終了地点が後ろになるという特徴がある。また、ホラー系動画の場合、ユーザーが嫌うシーン（例えば、グロテスクなシーン等）をスキップする傾向にあるため、やはり離脱までの時間が短くなる一方で、スキップした分だけ再生終了地点が後ろになるという特徴がある。すなわち、アダルト系動画やホラー系動画は、再生時間が短く、かつ、再生終了地点が長くなる傾向があることから、ステップＳ１０４で算出した値が小さくなる傾向がある。したがって、ステップＳ１０４で算出した評価値が所定の閾値未満の動画を検出することで、アダルト系動画やホラー系動画といった刺激的な動画を、レコメンド対象外の動画として検出することが可能となる。
【００３５】
なお、ステップＳ１０６でレコメンド対象外の動画を検出するにあたり、レコメンド対象の動画は、総時間が所定の長さ（例えば、５分）以上のコンテンツであることが好ましい。これは、時間が所定の長さ未満のコンテンツである場合、仮にユーザーにとって興味や関心が乏しいシーンであっても、スキップや飛ばし見をすることなく、すべて再生してしまうおそれがあるからである。この場合、アダルト系動画やホラー系動画をレコメンド対象外の動画として検出することは困難である。
【００３６】
次に、制御部１１は、要求元の端末装置２０の表示部２３にレコメンド対象の動画を一覧表示させるためのレコメンド情報を生成する（ステップＳ１０７）。
ここで、レコメンド対象の動画は、ステップＳ１０４で算出した評価値が所定の閾値未満の動画が存在しないと判定した場合（ステップＳ１０５：ＮＯ）、ステップＳ１０１で抽出したレコメンド対象の動画である。
一方、ステップＳ１０４で算出した評価値が所定の閾値未満の動画が存在すると判定した場合（ステップＳ１０５：ＹＥＳ）、ステップＳ１０１で抽出したレコメンド対象の動画からステップＳ１０５で検出したレコメンド対象外の動画を除外したものである。なお、この場合、除外した数だけ次点の動画を追加するようにしてもよい。
【００３７】
次に、制御部１１は、ステップＳ１０７で生成したレコメンド情報を、通信部１５を介して端末装置２０に送信する（ステップＳ１０８）。
制御部１１は、上記のステップＳ１０７及びステップＳ１０８の処理を行うことで、本発明のレコメンド手段１１５として機能する。
【００３８】
端末装置２０の制御部２１は、ステップＳ１０８でサーバー１０から送信されたレコメンド情報を取得する（ステップＳ１０９）。
【００３９】
次に、制御部２１は、ステップＳ１０９で取得したレコメンド情報を表示させるための画面（レコメンド情報表示画面：図６及び図７参照）を、表示部２３に表示させる（ステップＳ１１０）。
【００４０】
図６に、従来の端末装置２０Ａにおいて表示部２３Ａに表示されるレコメンド情報表示画面の一例を示す。また、図７に、本実施形態に係る端末装置２０において表示部２３に表示されるレコメンド情報表示画面の一例を示す。
図６に示す例では、レコメンド対象動画リストＬ１の上位の動画から順に所定数（図６では５つ）の動画（動画Ａ〜動画Ｅ）がレコメンド表示されている。すなわち、図６に示す例では、刺激的な動画である「動画Ａ」、「動画Ｄ」が表示されている。
一方、図７に示す例では、レコメンド対象動画リストＬ１の上位の動画からレコメンド対象外の動画（「動画Ａ」、「動画Ｄ」、「動画Ｇ」、「動画Ｊ」）が除外された所定数（図７では５つ）の動画（動画Ｂ、動画Ｃ、動画Ｅ、動画Ｆ、動画Ｈ）がレコメンド表示されている。すなわち、図７に示す例では、レコメンド情報表示画面において、刺激的な動画がレコメンド表示されていないことがわかる。
【００４１】
［３．効果］
以上のように、本実施形態に係る情報処理装置（サーバー１０）は、配信（提供）対象の各動画に係る所定の条件を基準として、レコメンド対象の動画を抽出する第１抽出手段１１１と、再生開始操作から離脱までの時間である再生時間と、離脱時の再生地点である再生終了地点と、に基づいて、動画の特性を判別する判別手段１１３と、判別手段１１３により判別された特性に基づいて、レコメンド対象外の動画を検出する検出手段１１４と、第１抽出手段１１１により抽出されたレコメンド対象の動画から検出手段１１４により検出されたレコメンド対象外の動画を除外したものをレコメンドするレコメンド手段１１５と、を備える。
したがって、本実施形態に係る情報処理装置によれば、すべての再生画像を解析する必要がないため、手間を掛けることなく、サービス提供を行うことができる。また、レコメンド対象から除外したい動画（刺激的な動画）を検出することができるので、動画配信サービスのブランドイメージが損なわれることを防止することができる。よって、動画配信サービスにおいて、手間を掛けることなく、かつ、イメージを損なうことなく、適切なサービス提供を行うことができる。
また、従来、例えば、Ｒ１８指定やＲ１５指定の情報は、動画のメタデータに含まれるため、レコメンド対象から除外することはできていたが、本実施形態に係る情報処理装置
によれば、指定外の動画であってもサムネイルやタイトルが刺激的で除外したい動画を除外することができる。
【００４２】
また、本実施形態に係る情報処理装置は、再生時間及び再生終了地点を取得する取得手段１１２を備える。また、判別手段１１３は、取得手段１１２により取得された再生時間及び再生終了地点の比率に基づいて、動画の特性を判別する。
したがって、本実施形態に係る情報処理装置によれば、すべての再生画像を解析することなく、レコメンド対象から除外したい動画（刺激的な動画）を検出することができるので、手間を掛けることなく、かつ、イメージを損なうことなく、適切なサービス提供を行うことができる。
【００４３】
また、本実施形態に係る情報処理装置によれば、判別手段１１３は、取得手段１１２により取得された再生時間及び再生終了地点の比率が所定の閾値未満である場合に、動画の特性がレコメンド対象外とすべき特性であると判別する。
したがって、本実施形態に係る情報処理装置によれば、すべての再生画像を解析することなく、レコメンド対象から除外したい動画（刺激的な動画）を検出することができるので、手間を掛けることなく、かつ、イメージを損なうことなく、適切なサービス提供を行うことができる。なお、再生時間及び再生終了地点の比率が所定の閾値未満である場合にレコメンド対象外とするのは、ユーザーの視聴履歴を解析した結果、レコメンド対象から除外したい動画はつまみ食い（スキップ、飛ばし見の多用）される傾向があり、再生時間及び再生終了地点の差が大きくなる傾向がみられるからである。
【００４４】
また、本実施形態に係る情報処理装置によれば、レコメンド対象外の動画は、アダルト系動画やホラー系動画を含む。
したがって、本実施形態に係る情報処理装置によれば、レコメンド対象外の動画に、アダルト系動画やホラー系動画といった刺激的な動画を含めることができるので、動画配信サービスのブランドイメージが損なわれることを防止することができる。
【００４５】
また、本実施形態に係る情報処理装置によれば、第１抽出手段１１１は、総時間が所定の長さ以上の動画の中から、レコメンド対象の動画を抽出する。
したがって、本実施形態に係る情報処理装置によれば、ユーザーにとって興味や関心が乏しいシーンであるにもかかわらず、ユーザーがスキップや飛ばし見をすることなく、すべて再生してしまったようなケースを除外することができるので、レコメンド対象外の動画を精度よく検出することができる。
【００４６】
以上、本発明に係る実施形態に基づいて具体的に説明したが、本発明は上記実施形態に限定されるものではなく、その要旨を逸脱しない範囲で変更可能である。
【００４７】
［４．変形例］
例えば、上記実施形態では、再生時間及び再生終了地点の比率（再生時間の平均／再生終了地点の平均）に基づいて動画の特性を判別し、レコメンド対象外の動画を検出するようにしているが、これに限定されるものではない。例えば、再生時間及び再生終了地点の比率の代わりに、スキップ回数及び再生終了地点に基づいて動画の特性を判別し、レコメンド対象外の動画を検出するようにしてもよい。
【００４８】
以下、スキップ回数及び再生終了地点に基づいてレコメンド対象外の動画を検出する処理を含む変形例の動作について、図８のフローチャートを参照して説明する。
まず、ステップＳ２０１及びステップＳ２０２の処理は、図２のステップＳ１０１及びステップＳ１０２の処理と同様であるので、説明を省略する。
【００４９】
次に、サーバー１０の制御部１１は、ステップＳ２０２で取得した視聴履歴から、それぞれのスキップ回数及び再生終了地点を取得する（ステップＳ２０３）。
【００５０】
次に、制御部１１は、ステップＳ２０１で抽出したレコメンド対象の動画の中に、ステップＳ２０３で取得したスキップ回数が、ステップＳ２０３で取得した再生終了地点ごとに定められる閾値以上の動画が存在するか否かを判定する（ステップＳ２０４）。ここで、再生終了地点ごとに定められる閾値は、再生終了地点が遅くなればなるほど大きな値となる。これは、一般に、スキップ回数は再生時間に比例すると考えられるからである。
制御部１１は、ステップＳ２０３で取得したスキップ回数が、ステップＳ２０３で取得した再生終了地点ごとに定められる閾値以上の動画が存在すると判定した場合（ステップＳ２０４：ＹＥＳ）、次のステップＳ２０５へと移行する。
一方、制御部１１は、ステップＳ２０３で取得したスキップ回数が、ステップＳ２０３で取得した再生終了地点ごとに定められる閾値以上の動画が存在しないと判定した場合（ステップＳ２０４：ＮＯ）、ステップＳ２０６へと移行する。
【００５１】
次に、制御部１１は、スキップ回数が閾値以上の動画を、動画の特性がレコメンド対象外とすべき特性であると判別し、レコメンド対象外の動画として検出する（ステップＳ２０５）。
以下、ステップＳ２０６〜ステップＳ２０９の処理は、図２のステップＳ１０７〜ステップＳ１１０の処理と同様であるので、説明を省略する。
【００５２】
上記のように、判別手段１１３が、スキップ回数と、再生終了地点と、に基づいて、動画の特性を判別することで、すべての再生画像を解析することなく、レコメンド対象から除外したい動画（刺激的な動画）を検出することができるので、手間を掛けることなく、かつ、イメージを損なうことなく、適切なサービス提供を行うことができる。
【００５３】
また、再生時間及び再生終了地点の比率の代わりに、スキップ幅及び再生終了地点に基づいて動画の特性を判別し、レコメンド対象外の動画を検出するようにしてもよい。
以下、スキップ幅及び再生終了地点に基づいてレコメンド対象外の動画を検出する処理を含む変形例の動作について、図９のフローチャートを参照して説明する。
まず、ステップＳ３０１及びステップＳ３０２の処理は、図８のステップＳ２０１及びステップＳ２０２の処理と同様であるので、説明を省略する。
【００５４】
次に、サーバー１０の制御部１１は、ステップＳ３０２で取得した視聴履歴から、それぞれのスキップ幅及び再生終了地点を取得する（ステップＳ３０３）。
【００５５】
次に、制御部１１は、ステップＳ３０１で抽出したレコメンド対象の動画の中に、ステップＳ３０３で取得したスキップ幅が、ステップＳ３０３で取得した再生終了地点ごとに定められる閾値以上の動画が存在するか否かを判定する（ステップＳ３０４）。ここで、再生終了地点ごとに定められる閾値は、再生終了地点が遅くなればなるほど大きな値となる。これは、一般に、スキップ幅は再生時間に比例すると考えられるからである。
制御部１１は、ステップＳ３０３で取得したスキップ幅が、ステップＳ３０３で取得した再生終了地点ごとに定められる閾値以上の動画が存在すると判定した場合（ステップＳ３０４：ＹＥＳ）、次のステップＳ３０５へと移行する。
一方、制御部１１は、ステップＳ３０３で取得したスキップ幅が、ステップＳ３０３で取得した再生終了地点ごとに定められる閾値以上の動画が存在しないと判定した場合（ステップＳ３０４：ＮＯ）、ステップＳ３０６へと移行する。
【００５６】
次に、制御部１１は、スキップ幅が閾値以上の動画を、動画の特性がレコメンド対象外とすべき特性であると判別し、レコメンド対象外の動画として検出する（ステップＳ３０５）。
以下、ステップＳ３０６〜ステップＳ３０９の処理は、図８のステップＳ２０６〜ステップＳ２０９の処理と同様であるので、説明を省略する。
【００５７】
上記のように、判別手段１１３が、スキップ幅と、再生終了地点と、に基づいて、動画の特性を判別することで、すべての再生画像を解析することなく、レコメンド対象から除外したい動画（刺激的な動画）を検出することができるので、手間を掛けることなく、かつ、イメージを損なうことなく、適切なサービス提供を行うことができる
【００５８】
また、上記実施形態では、再生時間及び再生終了地点の比率に基づいて、レコメンド対象外の動画を検出するようにしているが、これに限定されるものではない。例えば、再生時間及び再生終了地点の比率の代わりに、再生時間及び「動画の総時間（動画の長さ）」の比率に基づいて、レコメンド対象外の動画を検出するようにしてもよい。すなわち、この場合、再生終了地点を、動画の最終地点と見做している。
なお、情報処理システム１の具体的な動作は、再生終了地点が動画の総時間に置換された点を除いて同一である。すなわち、取得した再生時間及び動画の総時間の比率（再生時間の平均／動画の総時間の平均）が、予め定められた閾値未満であるか否かを判定し、所定の閾値未満の動画を、レコメンド対象外の動画として検出する。
【００５９】
上記のように、判別手段１１３が、再生時間と、動画の総時間と、に基づいて動画の特性を判別し、レコメンド対象外の動画を検出することで、さらに取得が容易な情報を用いてレコメンド対象外の動画を検出することができるので、容易に、かつ、適切なサービス提供を行うことができる。
【００６０】
また、再生時間及び再生終了地点の比率に基づいて、レコメンド対象外の動画を検出するようにした場合、必ずしもレコメンド対象外とする必要がない動画をレコメンド対象外の動画として検出してしまうことがある。例えば、音楽のライブ動画のように、お気に入りの曲の演奏時のみを視聴して、残りをスキップするような視聴がされた場合、レコメンド対象外の動画として検出されることがあるため、不都合が生じる。
したがって、このような場合に、動画のカテゴリ情報（例えば、音楽、スポーツ、バラエティ、ドラマ、映画、アダルト等）を取得するようにし（カテゴリ取得手段）、カテゴリ取得手段により取得されたカテゴリ情報と、判別手段１１３により判別された特性（再生時間及び再生終了地点の比率）と、に基づいて、レコメンド対象外の動画を検出するようにしてもよい。この場合、取得したカテゴリ情報は、図１０に示すように、レコメンド対象動画リストＬ１にカテゴリＬ１４の項目として追加される。
【００６１】
例えば、図１０に示すように、再生時間及び再生終了地点の比率（評価値Ｌ１３）が所定の閾値（０．４）未満で、かつ、動画のカテゴリＬ１４が「音楽」であった場合（図１０中の「動画Ａ」）には、音楽関連の動画（例えば、ライブ動画）であると見做して、レコメンド対象外の動画として検出しないようにする。
【００６２】
上記のように、動画のカテゴリ情報を取得するカテゴリ取得手段（制御部１１）を備え、検出手段１１４が、カテゴリ取得手段により取得されたカテゴリ情報と、判別手段１１３により判別された特性と、に基づいて、レコメンド対象外の動画を検出することで、レコメンド対象外としたい動画の検出精度を向上させることができるので、音楽のライブ動画のように、スキップが多用されやすい動画が不必要にレコメンド対象外とされることを抑制することができる。
【００６３】
なお、動画のカテゴリ情報を参照してレコメンド対象外の動画を検出する際、他に、動画の説明文や内容（画像、キーワード等）を併用するようにしてもよい。
【００６４】
また、カテゴリ取得手段によりカテゴリ情報を取得する代わりに、動画を視聴したユーザーの趣味嗜好に基づいて、動画のカテゴリを推測するようにしてもよい。具体的には、まず、動画を視聴した各ユーザーの視聴履歴から各ユーザーの趣味嗜好を抽出する（第２抽出手段）。次いで、抽出した各ユーザーの趣味嗜好を集計し、各ユーザーが視聴した動画のカテゴリを推測する（第１推測手段）。例えば、音楽のライブ動画を好むユーザーが多かった場合、この動画がライブ動画である確率（確信度）が高いと推測する。特に、動画を最後まで視聴したユーザーの趣味嗜好は、動画のカテゴリを推測するうえで、確信度をより高める情報である。例えば、動画を最後まで視聴したユーザーに、ホラー系の動画を好むユーザーが多かった場合、この動画がホラー系の動画である確信度がより高いと推測することができる。そして、第１推測手段により推測されたカテゴリと、判別手段１１３により判別された特性（再生時間及び再生終了地点の比率（評価値））と、に基づいて、レコメンド対象外の動画を検出する。
【００６５】
上記のように、動画を視聴したユーザーの視聴履歴からユーザーの趣味嗜好を抽出する第２抽出手段（制御部１１）と、第２抽出手段により抽出されたユーザーの趣味嗜好に基づいて、動画のカテゴリを推測する第１推測手段（制御部１１）と、を備え、検出手段１１４が、第１推測手段により推測されたカテゴリと、判別手段１１３により判別された特性と、に基づいて、レコメンド対象外の動画を検出することで、レコメンド対象外としたい動画の検出精度を向上させることができるので、音楽のライブ動画のように、スキップが多用されやすい動画が不必要にレコメンド対象外とされることを抑制することができる。
【００６６】
なお、各ユーザーの視聴履歴から各ユーザーの趣味嗜好を抽出した際、逆に、今までに視聴した実績がない動画のカテゴリに関しては、動画のカテゴリを推測する上で、確信度を低減する情報として扱うようにしてもよい。
【００６７】
また、カテゴリ取得手段によりカテゴリ情報を取得する代わりに、動画を視聴したユーザーの電子商取引情報（例えば、商品の購入履歴等）に基づいて、動画のカテゴリを推測するようにしてもよい。具体的には、まず、動画を視聴した各ユーザーの電子商取引情報を取得する（電子商取引情報取得手段）。次いで、取得した各ユーザーの電子商取引情報を集計し、各ユーザーが視聴した動画のカテゴリを推測する（第２推測手段）。例えば、ＣＤや音楽関連の電子書籍等、音楽関連の商品をよく購入するユーザーが多かった場合、この動画が音楽関連の動画（例えば、ライブ動画）である確率（確信度）が高いと推測する。特に、動画を最後まで視聴したユーザーの電子商取引情報は、動画のカテゴリを推測するうえで、確信度をより高める情報である。例えば、動画を最後まで視聴したユーザーに、スポーツ関連の商品をよく購入するユーザーが多かった場合、この動画がスポーツ関連の動画である確信度がより高いと推測することができる。そして、第２推測手段により推測されたカテゴリと、判別手段１１３により判別された特性（再生時間及び再生終了地点の比率（評価値））と、に基づいて、レコメンド対象外の動画を検出する。
【００６８】
上記のように、動画を視聴したユーザーの電子商取引情報を取得する電子商取引情報取得手段（制御部１１）と、電子商取引情報取得手段により抽出されたユーザーの電子商取引情報に基づいて、動画のカテゴリを推測する第２推測手段（制御部１１）と、を備え、検出手段１１４が、第２推測手段により推測されたカテゴリと、判別手段１１３により判別された特性と、に基づいて、レコメンド対象外の動画を検出することで、レコメンド対象外としたい動画の検出精度を向上させることができるので、音楽のライブ動画のように、スキップが多用されやすい動画が不必要にレコメンド対象外とされることを抑制することができる。
【００６９】
また、上記実施形態では、レコメンド対象外の動画を検出する際の「所定の閾値」に関し、動画の総時間（長さ）にかかわらず、一定の値を用いるようにしているが、これに限定されるものではない。例えば、動画の総時間が短ければ短いほど、所定の閾値の値を高く調整するようにしてもよい（調整手段）。これは、動画の総時間が短い場合、スキップや飛ばし見をされる回数が少なくなるため、「再生時間の平均／再生終了地点の平均」の値が高くなる傾向があるからである。
上記のように、動画の総時間が短ければ短いほど、所定の閾値の値を高くするように調整する調整手段（制御部１１）を備えることで、動画の総時間が短い場合にスキップや飛ばし見をされる回数が少なくなるという傾向に対応することができるので、レコメンド対象外の動画を精度よく検出することができる。
【００７０】
また、上記実施形態では、再生時間及び再生終了地点の比率が所定の閾値未満の動画を動画の特性がレコメンド対象外とすべき特性であると判別し、レコメンド対象外の動画として検出するようにしているが、これに限定されるものではない。例えば、動画を視聴するユーザーの趣味嗜好が所定条件を満たす場合（例えば、刺激的な動画を好む場合）は、再生時間及び再生終了地点の比率が所定の閾値未満の動画を、逆に、動画の特性がレコメンド対象とすべき特性であると判別し、レコメンド対象の動画として検出するようにしてもよい。すなわち、刺激的な動画を好むユーザーに対しては、刺激的な動画をレコメンドした方が有効であると考えられるため、所定の閾値未満の動画をまとめてレコメンドするようにすればよい。
【００７１】
図１１に、所定の閾値未満の動画をまとめて表示するレコメンド情報表示画面の一例を示す。
図１１に示す例では、ステップＳ１０４で算出した評価値が所定の閾値未満の動画（「動画Ａ」、「動画Ｄ」、「動画Ｇ」、「動画Ｊ」）がレコメンド表示されている。すなわち、図１１に示す例では、レコメンド情報表示画面において、刺激的な動画のみがレコメンド表示されていることがわかる。
【００７２】
上記のように、動画を視聴したユーザーの視聴履歴からユーザーの趣味嗜好を抽出する第２抽出手段（制御部１１）を備え、判別手段１１３が、第２抽出手段により抽出されたユーザーの趣味嗜好が所定条件を満たす場合であって、取得手段１１２により取得された再生時間及び再生終了地点の比率が所定の閾値未満である場合に、逆に、動画の特性がレコメンド対象とすべき特性であると判別することで、ユーザーの趣味嗜好に合わせて臨機応変に対応することができるので、ユーザーの関心を強く惹き付けるレコメンドを行うことができる。
【００７３】
また、再生時間及び再生終了地点の比率が所定の閾値未満の動画は、スキップ回数が多く、実際に視聴されているシーンは少ないが、裏を返せば、実際に視聴されているシーンは、ユーザーにとって好評なシーンであり、動画視聴のピークを示していると考えられる。したがって、再生時間及び再生終了地点の比率が所定の閾値未満である場合に、動画を視聴したユーザーの視聴履歴に基づいて動画視聴のピークを抽出するようにし（ピーク抽出手段）、抽出した動画視聴のピークを当該動画の配信（提供）時に表示させるようにしてもよい（表示制御手段）。
【００７４】
図１２に、配信された動画を表示する動画表示画面の一例を示す。
動画表示画面には、配信された動画を表示するための動画表示領域Ｅ１が設けられている。また、動画表示領域Ｅ１の下部には、動画の再生位置を所望する位置にスクロールするためのスクロールバーＢ１が設けられている。
図１２に示す例では、スクロールバーＢ１における動画視聴のピーク位置を示す矢印Ａ１が表示されている。これにより、視聴者は、動画視聴のピーク位置を容易に認識することができる。
なお、動画視聴のピーク位置を表示する方法としては、上記方法の他、動画の再生位置ごとの視聴数をグラフ化したものを表示させる方法などが挙げられる。
【００７５】
上記のように、取得手段１１２により取得された再生時間及び再生終了地点の比率が所定の閾値未満である場合に、動画を視聴したユーザーの視聴履歴に基づいて動画視聴のピークを抽出するピーク抽出手段（制御部１１）と、ピーク抽出手段により抽出された動画視聴のピークを、動画の配信（提供）時に表示させる表示制御手段（制御部１１）と、を備えることで、ユーザーの動画視聴をサポートすることができるので、ユーザーの利便性を向上させることができる。
【００７６】
また、個人のスキップ率と各動画のスキップ率とを比較して、動画に対する個人による評価値を補正するようにし（補正手段）、補正した評価値に基づいて、レコメンド対象外の動画を検出するようにしてもよい。ここで、個人のスキップ率とは、各個人が動画に対してどれぐらいスキップを行うかを示す指標のことであり、例えば、時間当たりのスキップ数で示される。また、各動画のスキップ率は、動画を視聴したユーザー（個人）が当該動画に対してどれぐらいスキップを行ったかを示す指標のことであり、例えば、時間当たりのスキップ数をユーザー数で割った値（平均値）で示される。また、動画に対する評価値は、例えば、「再生時間の平均／再生終了地点の平均」の値である。
【００７７】
すなわち、この変形例では、例えば、どの動画に対してもスキップ率が高めのユーザーが低めのスキップ率を示した動画の場合、この動画に対する評価値が高い（見るに値すると判断した）と判断し、このユーザーの「再生時間／再生終了地点」の値を高めに補正する。一方、どの動画に対してもスキップ率が低めのユーザーが高めのスキップ率を示した動画の場合、この動画に対する評価値が低い（見るに値しないと判断した）と判断し、このユーザーの「再生時間／再生終了地点」の値を低めに補正する。
このように、「再生時間（の平均）／再生終了地点（の平均）」の生の数値ではなく、各個人の評価軸を基準として評価値の補正を行うことで、より精度の高い動画解析を実施することが可能となる。
【００７８】
上記のように、個人のスキップ率と各動画のスキップ率とを比較して、動画に対する個人による評価値を補正する補正手段（制御部１１）を備え、検出手段１１４が、補正手段により補正された評価値に基づいて、レコメンド対象外の動画を検出することで、レコメンド対象外としたい動画の検出精度を向上させることができるので、より適切なサービス提供を行うことができる。
【００７９】
また、上記実施形態では、レコメンド対象外の動画の検出に際し、「再生時間の平均／再生終了地点の平均」を算出する（図２のステップＳ１０４参照）ようにしているが、これに限定されるものではない。例えば、平均値を算出する代わりに、中央値や最頻値を算出するようにしてもよい。
【００８０】
また、上記実施形態では、レコメンド対象外の動画の検出に際し、「再生時間の平均／再生終了地点の平均」を算出する（図２のステップＳ１０４参照）ようにしているが、これに限定されるものではない。例えば、「再生時間／再生終了地点」の中央値が、所定の閾値（例えば、０．５）未満の動画を、レコメンド対象外の動画として検出するようにしてもよい。ここで、所定の閾値は、刺激的な動画をより確実にレコメンド対象外としたい場合には、より高めの値に設定するようにすればよい。
【００８１】
また、上記実施形態では、インターネットや携帯電話通信網等の通信ネットワークを利用して動画を配信する構成を例示して説明しているが、これに限定されるものではない。
すなわち、動画を提供可能な構成であれば、必ずしも通信ネットワークを利用して配信する必要はなく、例えば、動画を提供している現場においてユーザーが視聴する構成であってもよい。
【００８２】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【００８３】
その他、サーバー、端末装置等、情報処理システムを構成する各装置の細部構成及び各装置の細部動作に関しても、本発明の趣旨を逸脱することのない範囲で適宜変更可能である。
【符号の説明】
【００８４】
１  情報処理システム
１０  サーバー（情報処理装置）
１１  制御部（カテゴリ取得手段、第２抽出手段、第１推測手段、電子商取引情報取得手段、第２推測手段、調整手段、ピーク抽出手段、表示制御手段、補正手段）
１１１  第１抽出手段
１１２  取得手段
１１３  判別手段
１１４  検出手段
１１５  レコメンド手段
１２  操作部
１３  表示部
１４  記憶部
１４１  視聴履歴記憶部
Ｌ１  レコメンド対象動画リスト
１５  通信部
２０  端末装置
２１  制御部
２２  操作部
２３  表示部
２４  記憶部
２５  通信部
【図１】
2019146142.tif 000003
【図２】
2019146142.tif 000004
【図３】
2019146142.tif 000005
【図４】
2019146142.tif 000006
【図５】
2019146142.tif 000007
【図６】
2019146142.tif 000008
【図７】
2019146142.tif 000009
【図８】
2019146142.tif 000010
【図９】
2019146142.tif 000011
【図１０】
2019146142.tif 000012
【図１１】
2019146142.tif 000013
【図１２】
2019146142.tif 000014
【手続補正書】
【提出日】令和1年6月18日(2019.6.18)
【手続補正１】
【補正対象書類名】明細書
【補正対象項目名】０００７
【補正方法】変更
【補正の内容】
【０００７】
本発明は、コンテンツ提供サービスにおいて、手間を掛けることなく、かつ、イメージを損なうことなく、適切なサービス提供を行うことが可能な情報処理装置、情報処理方法及びプログラムを提供することを目的とする。
【手続補正２】
【補正対象書類名】明細書
【補正対象項目名】０００８
【補正方法】変更
【補正の内容】
【０００８】
上記課題を解決するため、本発明の情報処理装置は、
コンテンツを提供する情報処理装置において、
再生開始操作から離脱までの時間である再生時間と、離脱時の再生地点である再生終了地点と、に基づいて、コンテンツの特性を判別する判別手段を備えることを特徴とする。
【手続補正３】
【補正対象書類名】明細書
【補正対象項目名】０００９
【補正方法】変更
【補正の内容】
【０００９】
本発明によれば、コンテンツ提供サービスにおいて、手間を掛けることなく、かつ、イメージを損なうことなく、適切なサービス提供を行うことができる。
【手続補正４】
【補正対象書類名】特許請求の範囲
【補正対象項目名】全文
【補正方法】変更
【補正の内容】
【特許請求の範囲】
【請求項１】
コンテンツを提供する情報処理装置において、
再生開始操作から離脱までの時間である再生時間と、離脱時の再生地点である再生終了地点と、に基づいて、コンテンツの特性を判別する判別手段を備えることを特徴とする情報処理装置。
【請求項２】
提供対象の各コンテンツに係る所定の条件を基準として、レコメンド対象のコンテンツを抽出する第１抽出手段と、
前記判別手段により判別された特性に基づいて、レコメンド対象外のコンテンツを検出する検出手段と、
前記第１抽出手段により抽出されたレコメンド対象のコンテンツから前記検出手段により検出されたレコメンド対象外のコンテンツを除外したものをレコメンドするレコメンド手段と、
を備えることを特徴とする請求項１に記載の情報処理装置。
【請求項３】
前記再生時間及び前記再生終了地点を取得する取得手段を備え、
前記判別手段は、前記取得手段により取得された前記再生時間及び前記再生終了地点の比率に基づいて、前記コンテンツの特性を判別することを特徴とする請求項２に記載の情報処理装置。
【請求項４】
前記判別手段は、前記取得手段により取得された前記再生時間及び前記再生終了地点の比率が所定の閾値未満である場合に、前記コンテンツの特性が前記レコメンド対象外とすべき特性であると判別することを特徴とする請求項３に記載の情報処理装置。
【請求項５】
コンテンツの総時間が短ければ短いほど、前記所定の閾値の値を高くするように調整する調整手段を備えることを特徴とする請求項４に記載の情報処理装置。
【請求項６】
コンテンツを視聴したユーザーの視聴履歴から前記ユーザーの趣味嗜好を抽出する第２抽出手段を備え、
前記判別手段は、前記第２抽出手段により抽出された前記ユーザーの趣味嗜好が所定条件を満たす場合であって、前記取得手段により取得された前記再生時間及び前記再生終了地点の比率が所定の閾値未満である場合に、逆に、前記コンテンツの特性が前記レコメンド対象とすべき特性であると判別することを特徴とする請求項４又は５に記載の情報処理装置。
【請求項７】
前記取得手段により取得された前記再生時間及び前記再生終了地点の比率が所定の閾値未満である場合に、コンテンツを視聴したユーザーの視聴履歴に基づいてコンテンツ視聴のピークを抽出するピーク抽出手段と、
前記ピーク抽出手段により抽出されたコンテンツ視聴のピークを、前記コンテンツの提供時に表示させる表示制御手段と、
を備えることを特徴とする請求項４〜６のいずれか一項に記載の情報処理装置。
【請求項８】
コンテンツのカテゴリ情報を取得するカテゴリ取得手段を備え、
前記検出手段は、前記カテゴリ取得手段により取得されたカテゴリ情報と、前記判別手段により判別された特性と、に基づいて、前記レコメンド対象外のコンテンツを検出することを特徴とする請求項２〜７のいずれか一項に記載の情報処理装置。
【請求項９】
コンテンツを視聴したユーザーの視聴履歴から前記ユーザーの趣味嗜好を抽出する第２抽出手段と、
前記第２抽出手段により抽出された前記ユーザーの趣味嗜好に基づいて、前記コンテンツのカテゴリを推測する第１推測手段と、  を備え、
前記検出手段は、前記第１推測手段により推測されたカテゴリと、前記判別手段により判別された特性と、に基づいて、前記レコメンド対象外のコンテンツを検出することを特徴とする請求項２〜７のいずれか一項に記載の情報処理装置。
【請求項１０】
コンテンツを視聴したユーザーの電子商取引情報を取得する電子商取引情報取得手段と、
前記電子商取引情報取得手段により抽出された前記ユーザーの電子商取引情報に基づいて、前記コンテンツのカテゴリを推測する第２推測手段と、
を備え、
前記検出手段は、前記第２推測手段により推測されたカテゴリと、前記判別手段により判別された特性と、に基づいて、前記レコメンド対象外のコンテンツを検出することを特徴とする請求項２〜７のいずれか一項に記載の情報処理装置。
【請求項１１】
前記判別手段は、スキップ回数と、前記再生終了地点と、に基づいて、前記コンテンツの特性を判別することを特徴とする請求項１に記載の情報処理装置。
【請求項１２】
前記判別手段は、スキップ幅と、前記再生終了地点と、に基づいて、前記コンテンツの特性を判別することを特徴とする請求項１に記載の情報処理装置。
【請求項１３】
前記判別手段は、前記再生時間と、コンテンツの総時間と、に基づいて、前記コンテンツの特性を判別することを特徴とする請求項１に記載の情報処理装置。
【請求項１４】
前記レコメンド対象外のコンテンツは、アダルト系コンテンツを含むことを特徴とする請求項２〜１０のいずれか一項に記載の情報処理装置。
【請求項１５】
前記レコメンド対象外のコンテンツは、ホラー系コンテンツを含むことを特徴とする請求項２〜１０、１４のいずれか一項に記載の情報処理装置。
【請求項１６】
個人のスキップ率と各コンテンツのスキップ率とを比較して、前記コンテンツに対する前記個人による評価値を補正する補正手段を備え、
前記検出手段は、前記補正手段により補正された評価値に基づいて、前記レコメンド対象外のコンテンツを検出することを特徴とする請求項２〜１０、１４、１５のいずれか一項に記載の情報処理装置。
【請求項１７】
前記第１抽出手段は、総時間が所定の長さ以上のコンテンツの中から、前記レコメンド対象のコンテンツを抽出することを特徴とする請求項２〜１０、１４〜１６のいずれか一項に記載の情報処理装置。
【請求項１８】
コンテンツを提供する情報処理装置の情報処理方法において、
再生開始操作から離脱までの時間である再生時間と、離脱時の再生地点である再生終了地点と、に基づいて、コンテンツの特性を判別する判別ステップを含む情報処理方法。
【請求項１９】
コンテンツを提供する情報処理装置のコンピュータを、
再生開始操作から離脱までの時間である再生時間と、離脱時の再生地点である再生終了地点と、に基づいて、コンテンツの特性を判別する判別手段、
として機能させるためのプログラム。